(57)【要約】【課題】施工コストの低減、工期の短縮を図ることのできる収納ユニットの取付構造を提供することを課題としている。【解決手段】収納ユニットＷの側板Ｗ１と縦枠Ａ１との間の隙間Ｓを埋める隙間調整部材２と、側板Ｗ１の内側Ｗ１ｃから隙間調整部材２を介して縦枠Ａ１にねじ込むことで側板Ｗ１を縦枠Ａ１に固定するビスＢ３とを備え、隙間調整部材２は内周面に雌ねじ３ａを有する固定部材３と、雌ねじ３ａに螺合する雄ねじ４ａを有すると共に軸方向に貫通孔４ｂを有する移動部材４とを備え、固定部材３が側板Ｗ１の支持孔Ｗ１ａに嵌合することで側板Ｗ１に支持され、移動部材４が固定部材３に対して軸方向に移動することで隙間Ｓを埋めるようになっており、ビス（ネジ部材）Ｂ３は、側板Ｗ１の内側Ｗ１ｃから固定部材３内、移動部材４の貫通孔４ｂを通って縦枠Ａ１にねじ込むように構成したものとなっている。【選択図】図２
2015119889.tif 000002
【特許請求の範囲】
【請求項１】
収納ユニットを壁下地材としての一対の縦枠の間に挿入した状態で、当該収納ユニットにおける左右の各側板を前記各縦枠に取り付けるための収納ユニットの取付構造であって、
前記各側板のうち少なくとも一方の側板と当該側板を取り付ける側の前記縦枠との間の隙間を埋める隙間調整部材と、
前記側板の内側から前記隙間調整部材を介して前記縦枠にねじ込むことで当該側板を当該縦枠に固定するネジ部材とを備えてなり、
前記隙間調整部材は、内周面に雌ねじが形成された固定部材と、この固定部材の雌ねじに螺合する雄ねじが外周面に形成され、かつ軸方向に貫通孔が形成された移動部材とを有し、前記固定部材が前記側板の厚さ方向に貫通するように形成された支持孔に嵌合することで当該側板に支持され、前記移動部材が前記固定部材に対して軸方向に移動することで前記隙間を埋めるようになっており、
前記ネジ部材は、前記側板の内側から前記固定部材内及び前記移動部材の貫通孔を通って前記縦枠にねじ込むようになっていることを特徴とする収納ユニットの取付構造。
【請求項２】
前記固定部材は、前記側板の外側から前記支持孔に挿入した際における当該側板の外側の端部外周に、当該支持孔より大径の鍔部が設けられていることを特徴とする請求項１に記載の収納ユニットの取付構造。
【請求項３】
前記固定部材は、前記支持孔に嵌合した状態において前記側板の外側への移動抵抗が増大する形状の段部が外周面に設けられていることを特徴とする請求項１又は２に記載の収納ユニットの取付構造。
【請求項４】
前記移動部材は、前記固定部材に螺合した状態において、前記側板の内側の端面に回転力の伝達部が形成され、前記側板の外側の端面に前記縦枠に当たる当接面が形成されていることを特徴とする請求項１〜３の何れかに記載の収納ユニットの取付構造。
【請求項５】
前記貫通孔は、移動部材の軸心位置又は偏心位置に形成されていることを特徴とする請求項１〜４の何れかに記載の収納ユニットの取付構造。
【請求項６】
前記各側板の正面部から前記縦枠に固定される面材の間を覆うように形成された見切枠を前記縦枠に設けたことを特徴とする請求項１〜５の何れかに記載の収納ユニットの取付構造。
【発明の詳細な説明】
【技術分野】
【０００１】
本発明は、壁に設置される収納ユニットの取付構造に関する。
【背景技術】
【０００２】
この種の収納ユニットの取付構造としては、例えば図３に示すように、収納ユニットＷを壁下地材としての一対の縦枠Ａ１の間に挿入した上で、当該収納ユニットＷにおける左右の各側板Ｗ１を各縦枠Ａ１にビスＢ１で固定するように構成されたものが知られている。
【０００３】
この場合、側板Ｗ１は、ボード受Ａ３を介して縦枠Ａ１に固定されるようになっている。ボード受Ａ３は、側板Ｗ１と縦枠Ａ１との間及び側板Ｗ１と石膏ボード（面材）Ａ２との間に挿入されることにより、側板Ｗ１と石膏ボードＡ２との間の間隔調整部材及び見切部材として機能するようになっている。
【０００４】
ビスＢ１は、側板Ｗ１の内側から当該側板Ｗ１に形成された貫通孔を通して、ボード受Ａ３及び縦枠Ａ１にねじ込むことにより、側板Ｗ１をボード受Ａ３と共に縦枠Ａ１に固定するようになっている。このため、ボード受Ａ３は、側板Ｗ１及び縦枠Ａ１の双方に固定された状態になる。
【０００５】
石膏ボードＡ２は、他のビスＢ２によって縦枠Ａ１に固定されるようになっているが、ボード受Ａ３や側板Ｗ１には固定されていない。なお、石膏ボードＡ２及びボード受Ａ３の外表面には、クロス（壁仕上げ材）Ａ４が貼り付けられることになる。
【０００６】
また、収納ユニットＷが一対の縦枠Ａ１の間に十分余裕をもって挿入可能となるようにするため、少なくとも一方のボード受Ａ３と縦枠Ａ１との間には隙間が生じるようになっており、その隙間部分には更に調整材Ａ５を挿入することで、その隙間を埋める対策がとられている。なお、図３において、Ｗ２は収納ユニットＷの扉である。
【０００７】
従って、一方の側板Ｗ１は、当該側板Ｗ１の内側からボード受Ａ３及び縦枠Ａ１にねじ込まれるビスＢ１によって当該縦枠Ａ１に固定されるようになっており、他方の側板Ｗ１は、当該側板Ｗ１の内側からボード受Ａ３、調整材Ａ５及び縦枠Ａ１にねじ込まれるビスＢ１によって当該縦枠Ａ１に固定されるようになっている。
【０００８】
上記のように構成された収納ユニットの取付構造においては、縦枠Ａ１を構築してから、石膏ボードＡ２の裏側に配置されることになるボード受Ａ３や調整材Ａ５を用いて、収納ユニットＷを各縦枠Ａ１に取り付ける。それから、石膏ボードＡ２を縦枠Ａ１に固定し、更に石膏ボードＡ２及びボード受Ａ３の外表面にクロスＡ４を貼り付けることになる。
【０００９】
しかし、縦枠Ａ１の構築や、縦枠Ａ１への石膏ボードＡ２の取り付けは、通常、建築職人が行う作業であるのに対して、収納ユニットＷの縦枠Ａ１への取り付けは、通常、家具職人が行う作業であることから、建築職人は、縦枠Ａ１を構築した後に作業を一旦中断し、家具職人による収納ユニットＷの取り付け作業が終了してから、再び石膏ボードＡ２の取り付け作業を開始することになる。このため、建築職人の作業能率が低下することになる。また、家具職人も通常他の作業を有していることから、当該家具職人が収納ユニットＷの取り付け作業を開始するまでに待ち時間が生じることになると共に、建築職人が再び作業を開始する際にも待ち時間が生じることになる。従って、施工コストの上昇、工期の遅延を来たすという問題がある。
【００１０】
また、収納ユニットＷに不具合が見付かるなどの何らかの理由で当該収納ユニットＷを交換することが必要になった場合には、既に施工されている石膏ボードＡ２やクロスＡ４を取り外すなどの道連れ作業が発生するため、さらに施工コストの上昇、工期の遅延を来たすことになる。
【発明の概要】
【発明が解決しようとする課題】
【００１１】
本発明は、上記事情に鑑みてなされたものであり、施工コストの低減及び工期の短縮を図ることのできる収納ユニットの取付構造を提供することを課題としている。
【課題を解決するための手段】
【００１２】
上記課題を解決するために、請求項１に記載の発明は、収納ユニットを壁下地材としての一対の縦枠の間に挿入した状態で、当該収納ユニットにおける左右の各側板を前記各縦枠に取り付けるための収納ユニットの取付構造であって、前記各側板のうち少なくとも一方の側板と当該側板を取り付ける側の前記縦枠との間の隙間を埋める隙間調整部材と、前記側板の内側から前記隙間調整部材を介して前記縦枠にねじ込むことで当該側板を当該縦枠に固定するネジ部材とを備えてなり、前記隙間調整部材は、内周面に雌ねじが形成された固定部材と、この固定部材の雌ねじに螺合する雄ねじが外周面に形成され、かつ軸方向に貫通孔が形成された移動部材とを有し、前記固定部材が前記側板の厚さ方向に貫通するように形成された支持孔に嵌合することで当該側板に支持され、前記移動部材が前記固定部材に対して軸方向に移動することで前記隙間を埋めるようになっており、前記ネジ部材は、前記側板の内側から前記固定部材内及び前記移動部材の貫通孔を通って前記縦枠にねじ込むようになっていることを特徴としている。
【００１３】
請求項２に記載の発明は、請求項１に記載の発明において、前記固定部材は、前記側板の外側から前記支持孔に挿入した際における当該側板の外側の端部外周に、当該支持孔より大径の鍔部が設けられていることを特徴としている。
【００１４】
請求項３に記載の発明は、請求項１又は２に記載の発明において、前記固定部材は、前記支持孔に嵌合した状態において前記側板の外側への移動抵抗が増大する形状の段部が外周面に設けられていることを特徴としている。
【００１５】
請求項４に記載の発明は、請求項１〜３の何れかに記載の発明において、前記移動部材は、前記固定部材に螺合した状態において、前記側板の内側の端面に回転力の伝達部が形成され、前記側板の外側の端面に前記縦枠に当たる当接面が形成されていることを特徴としている。
【００１６】
請求項５に記載の発明は、請求項１〜４の何れかに記載の発明において、前記貫通孔は、移動部材の軸心位置又は偏心位置に形成されていることを特徴としている。
【００１７】
請求項６に記載の発明は、請求項１〜５の何れかに記載の発明において、前記各側板の正面部から前記縦枠に固定される面材の間を覆うように形成された見切枠を前記縦枠に設けたことを特徴としている。
【発明の効果】
【００１８】
請求項１に記載の発明によれば、隙間調整部材における固定部材を例えば一方の側板の支持孔に嵌合し、移動部材を固定部材の軸方向に移動することによって、当該移動部材の端部を縦枠に当てることができ、これにより一方の側板と縦枠との間の隙間を埋めることができる。即ち、固定部材と移動部材とが螺合していることから、移動部材を回動することにより、当該移動部材を縦枠に達する位置まで簡単に移動することができると共に、その位置に保持することができる。そこで、ネジ部材を一方の側板の内側から固定部材内及び移動部材の貫通孔を通して縦枠にねじ込むことにより、その一方の側板を縦枠に確実に固定することができる。
【００１９】
また、他方の側板についても隙間調整部材を用いて縦枠に固定することも可能であるが、その他方の側板については、予め縦枠に密着させておくことが可能であるので、隙間調整部材を用いることなく、側板と縦枠との隙間を埋めた状態で当該側板をネジ部材によって縦枠に固定することが可能である。
【００２０】
従って、左右の各側板とこれらに対応する各縦枠との間に従来用いていたボード受や調整材を設ける必要がないので、石膏ボード等の面材を縦枠に固定した後であっても、収納ユニットを縦枠に固定することができる。
【００２１】
よって、縦枠の構築から当該縦枠に面材を固定するまでの作業を建築職人によって連続して行うことができるので、作業能率の向上を図ることができると共に、待ち時間の発生を防止することができる。即ち、施工コストの低減、工期の短縮を図ることができる。
【００２２】
しかも、収納ユニットを交換する際にも、縦枠に取り付けた面材等を取り外すなどの道連れ作業の必要がないので、何らかの理由で収納ユニットを交換する場合でも、施工コストが上昇したり、工期が遅延したりするのを極力抑えることができる。
【００２３】
請求項２に記載の発明によれば、側板の外側から支持孔に挿入した際の固定部材における側板の外側の端部外周に支持孔より大径の鍔部が設けられているので、固定部材が支持孔に所定量嵌合した状態から更に側板の内側に移動するのを防止することができる。即ち、移動部材の端部が縦枠に当たることで、固定部材に当該固定部材を側板の内側に移動する方向の力が作用しても、当該固定部材が移動するのを防止することができる。このため、移動部材が縦枠に当たった時点から、当該移動部材の回動抵抗が急激に増加することになるので、その移動部材が縦枠に当たったことを感知することができる。よって、側板と縦枠との隙間を隙間調整部材によって確実に埋めた上で、当該側板を縦枠に固定することができる。
【００２４】
請求項３に記載の発明によれば、支持孔に嵌合した状態において側板の外側への移動抵抗が増大する形状の段部が固定部材の外周面に設けられているので、固定部材が側板の外側に支持孔から抜け落ちるのを防止することができる。即ち、収納ユニットを一対の縦枠の間に挿入するなどの作業において、固定部材が支持孔から側板の外側に抜け落ちるのを防止することができるので、作業能率の向上を図ることができる。
【００２５】
請求項４に記載の発明によれば、移動部材における側板の内側の端面に回転力の伝達部が形成され、側板の外側の端面に縦枠に当たる当接面が形成されているので、収納ユニットを一対の縦枠の間に挿入した状態において、当該収納ユニット内から回転力の伝達部を介して移動部材を回動させることができ、これにより移動部材をその当接面が縦枠に当る位置まで移動することができる。従って、作業能率の向上を図ることができる。
【００２６】
請求項５に記載の発明によれば、貫通孔が移動部材の軸心位置に形成されている場合にはネジ部材が固定部材及び移動部材の軸心部を通って縦枠にねじ込まれることになる。一方、貫通孔が移動部材の偏心位置に形成されている場合には、ネジ部材の頭部が移動部材の端面に当たることによって、ネジ部材の回動力が移動部材に作用することになったとしても、当該移動部材が回転するのを防止することができる。従って、ねじ部材による固定作業の際に、移動部材が回動して、側板と縦枠との間隔が変化するのを防止することができる。
【００２７】
請求項６に記載の発明によれば、各側板の正面部から縦枠に固定される面材までの間を覆うように形成された見切枠が前記縦枠に設けられているので、収納ユニットや縦枠等に伸縮変形が生じたとしても、その変形量を見切枠が側板の正面部に沿って移動することによって吸収することができる。
【００２８】
従って、面材及び見切枠を覆うように例えばクロス等の壁仕上げ材を貼り付けた場合でも、その壁仕上げ材が面材と見切枠との境界部において裂けるようなことがない。なお、従来例で示したように、ボード受が側板に固定されている場合には、収納ユニット等が伸縮変形することによって、ボード受と石膏ボードとの境界部において壁仕上げ材に裂け目が生じるおそれがある。
【図面の簡単な説明】
【００２９】
【図１】本発明の一実施例として示した収納ユニットの取付構造の要部水平断面図である。
【図２】同収納ユニットの取付構造における隙間調整部材を示す図であって、（ａ）はビスを有する隙間調整部材の正面図であり、（ｂ）は同隙間調整部材の要部破断正面図であり、（ｃ）は（ｂ）のＣ矢視図であり、（ｄ）はビスを有していない隙間調整部材の要部破断正面図であり、（ｅ）は（ｄ）のＥ矢視図である。
【図３】従来例として示した収納ユニットの取付構造の要部水平断面図である。
【発明を実施するための形態】
【００３０】
本発明を実施するための形態を一実施例に基づいて詳細に説明する。
【００３１】
この実施例で示す収納ユニットの取付構造１は、図１に示すように、収納ユニットＷを壁下地材としての一対の縦枠Ａ１の間に挿入した状態で、当該収納ユニットＷにおける左右の各側板Ｗ１を各縦枠Ａ１に取り付けるための構造に関するものであり、隙間調整部材２とビスＢ３とを備えた構成になっている。なお、図１においては、一方の側板Ｗ１及びその側板Ｗ１を固定する一方の縦枠Ａ１に関する部分を示している。
【００３２】
即ち、隙間調整部材２は、各側板Ｗ１のうち少なくとも一方の側板Ｗ１と当該側板Ｗ１を取り付ける一方の縦枠Ａ１との間の隙間Ｓを埋めるべく構成されたものである。一方、ビスＢ３は、側板Ｗ１の内側Ｗ１ｃから隙間調整部材２を介して縦枠Ａ１にねじ込むことで側板Ｗ１を縦枠Ａ１に固定するようになっている。
【００３３】
また、隙間調整部材２は、図２に示すように、固定部材３と移動部材４とを備えた構成になっている。
【００３４】
固定部材３は、円筒状の外観を有し、側板Ｗ１の厚さ方向に貫通する支持孔Ｗ１ａに嵌合することで当該側板Ｗ１に支持されるようになっており、その内周面には雌ねじ３ａが形成されている。そして、固定部材３は、側板Ｗ１の外側Ｗ１ｄの端部外周に、支持孔Ｗ１ａより大径の鍔部３ｂが設けられたものとなっており、外周面には、支持孔Ｗ１ａに対して側板Ｗ１の外側Ｗ１ｄへ移動する方向に大きな抵抗が生じる形状の複数の段部３ｃが設けられている。段部３ｃは、固定部材３の外周面から外方に切り立つように形成された面と、この面の頂部から側板Ｗ１の内側Ｗ１ｃに向って漸次縮径するテーパ面とよって形成されている。
【００３５】
移動部材４は、その外周面に固定部材３の雌ねじ３ａに螺合する雄ねじ４ａが形成され、かつその軸心位置に軸方向に延在する貫通孔４ｂが形成されている。この移動部材４は、固定部材３に対して回動することで軸方向に移動し、これにより上述した隙間Ｓを埋めるようになっている。そして、移動部材４には、固定部材３に螺合した状態において、側板Ｗ１の内側Ｗ１ｃに位置する端面に所定の深さの六角穴（回転力の伝達部）４ｃが形成されており、側板Ｗ１の外側Ｗ１ｄに位置する端面に縦枠Ａ１に当たる当接面４ｄが形成されている。当接面４ｄは、移動部材４の端部外周に突出する鍔部によって拡径されている。
【００３６】
ビスＢ３は、側板Ｗ１の内側Ｗ１ｃから固定部材３内及び移動部材４の貫通孔４ｂを通って縦枠Ａ１にねじ込むようになっている。このビスＢ３は、頭部Ｂ３ａの下面をテーパ面で形成したさらねじが用いられている。また、貫通孔４ｂにおける六角穴４ｃ側の端部には頭部Ｂ３ａのテーパ面に合致する形状のさらもみ４ｅが形成されている。即ち、ビスＢ３の頭部Ｂ３ａは、さらもみ４ｅに入ることで、六角穴４ｃ側への突出が抑制又は防止されている。
【００３７】
また、縦枠Ａ１には、図１に示すように、見切枠５が設けられている。見切枠５は、側板Ｗ１の正面部Ｗ１ｂにおける水平方向のほぼ中央の位置から面材としての石膏ボードＡ２までの間を覆うように形成されており、ビスＢ２によって縦枠Ａ１に固定されるようになっている。石膏ボードＡ２は、縦枠Ａ１にビスＢ２で固定されるようになっている。そして、石膏ボードＡ２から見切枠５にかかる外表面には、壁仕上げ材としてのクロスＡ４が貼り付けられるようになっている。
【００３８】
なお、図１において、Ｗ２は収納ユニットＷの扉である。
【００３９】
上記のように構成された収納ユニットＷの取付構造１においては、固定部材３を一方の側板Ｗ１の支持孔Ｗ１ａに嵌合した上で、移動部材４を固定部材３の軸方向に移動することにより、当該移動部材４の端部を縦枠Ａ１に当てることができる。即ち、隙間調整部材２によって側板Ｗ１と縦枠Ａ１との間の隙間Ｓを埋めることができる。この場合、固定部材３に対して移動部材４を回動することにより、当該移動部材４を縦枠Ａ１に当接する位置まで移動することができると共に、その位置に保持することができる。このため、ビスＢ３を側板Ｗ１の内側Ｗ１ｃから固定部材３内及び移動部材４の貫通孔４ｂを通して縦枠Ａ１にねじ込むことにより、隙間Ｓを埋めた状態で側板Ｗ１を縦枠Ａ１に確実に固定することができる。
【００４０】
また、他方の側板Ｗ１についても隙間調整部材２を用いて縦枠Ａ１に固定することも可能であるが、その他方の側板Ｗ１については、予め縦枠Ａ１に密着させておくことが可能であるから、隙間調整部材２を用いることなく、側板Ｗ１を縦枠Ａ１にビスＢ３で固定することが可能である。
【００４１】
従って、左右の各側板Ｗ１とこれらに対応する各縦枠Ａ１との間に従来例で示したようなボード受や調整材を設ける必要がないので、石膏ボードＡ２を縦枠Ａ１に固定した後であっても、収納ユニットＷを縦枠Ａ１に固定することができる。また、見切枠５を縦枠Ａ１に固定した後であっても、収納ユニットＷを見切枠５の内側に挿入することにより、当該収納ユニットＷを縦枠Ａ１に固定することができる。
【００４２】
即ち、縦枠Ａ１の構築から当該縦枠Ａ１に石膏ボードＡ２や見切枠５を固定するまでの建築職人による作業を連続して行うことができるので、作業能率が向上すると共に、待ち時間が発生するのを防止することができる。よって、施工コストの低減、工期の短縮を図ることができる。
【００４３】
しかも、石膏ボードＡ２、見切枠５、クロスＡ４の施工を終了した後に、何らかの理由で収納ユニットＷを交換することが必要になった場合でも、その石膏ボードＡ２、見切枠５、クロスＡ４を取り外す等の道連れ作業が発生することがないので、施工コストの上昇、工期の遅延を極力抑えることができる。
【００４４】
また、固定部材３の端部外周に支持孔Ｗ１ａより大径の鍔部３ｂを設けているので、移動部材４の当接面４ｄが縦枠Ａ１に当たることで、固定部材３を側板Ｗ１の内側Ｗ１ｃに押し込む力が作用しても、当該固定部材３が側板Ｗ１の内側Ｗ１ｃに移動するのを防止することができる。このため、移動部材４の当接面４ｄが縦枠Ａ１に当接した時点から、当該移動部材４の回動抵抗が急激に増加することになるので、当該当接面４ｄが縦枠Ａ１に当たったことを確認することができる。即ち、収納ユニットＷの内側から隙間Ｓが埋められたことを確認することができるので、作業能率の向上を図ることができる。
【００４５】
更に、固定部材３の外周面には段部３ｃが設けられているので、固定部材３が支持孔Ｗ１ａから側板Ｗ１の外側Ｗ１ｄに抜け落ちるのを防止することができる。従って、収納ユニットＷを一対の縦枠Ａ１の間に挿入するなどの種々の作業において、固定部材３が支持孔Ｗ１ａから抜け落ちるのを防止することができるので、この点からも作業能率の向上を図ることができる。
【００４６】
そして、移動部材４における側板Ｗ１の内側Ｗ１ｃの端面に六角穴４ｃが形成されているので、収納ユニットＷを一対の縦枠Ａ１の間に挿入した状態において、当該収納ユニットＷ内から例えば六角レンチを六角穴４ｃに挿入して回動することにより、当該移動部材４をその当接面４ｄが縦枠Ａ１に当る位置まで移動することができる。従って、この点からも作業能率の向上を図ることができる。
【００４７】
また、ビスＢ３は、移動部材４の軸心に位置する貫通孔４ｂを通して縦枠Ａ１に確実にねじ込むことができる。
【００４８】
一方、見切枠５が縦枠Ａ１に固定されているので、収納ユニットＷや縦枠Ａ１等に伸縮変形が生じたとしても、その変形量を見切枠５が側板Ｗ１の正面部Ｗ１ｂに沿って移動することによって吸収することができる。従って、石膏ボードＡ２と見切枠５との境界部においてクロスＡ４に裂け目が生じるのを防止することができる。
【００４９】
なお、上記実施例においては、移動部材４の軸心位置に貫通孔４ｂを形成した例を示したが、この貫通孔４ｂは、移動部材４の軸心に対して偏心した位置に形成するようにしてもよい。そして、貫通孔４ｂを移動部材４の偏心位置に形成した場合には、ビスＢ３の頭部が移動部材４の端面に当たることによって、ビスＢ３と共に回動する力が移動部材４に作用したとしても、当該移動部材４が回転するのを防止することができる。従って、ビスＢ３による固定作業の際に、移動部材４が移動して、側板Ｗ１と縦枠Ａ１との間隔が変化するのを防止することができる。
【符号の説明】
【００５０】
１  収納ユニットの取付構造
２  隙間調整部材
３  固定部材
３ａ  雌ねじ
３ｂ  鍔部
３ｃ  段部
４  移動部材
４ａ  雄ねじ
４ｂ  貫通孔
４ｃ  六角穴（回転力の伝達部）
４ｄ  当接面
５  見切枠
Ａ１  縦枠
Ａ２  石膏ボード（面材）
Ａ４  クロス（壁仕上げ材）
Ｂ３  ビス（ネジ部材）
Ｓ  隙間
Ｗ  収納ユニット
Ｗ１  側板
Ｗ１ａ  支持孔
Ｗ１ｂ  正面部
Ｗ１ｃ  内側
Ｗ１ｄ  外側
【図１】
2015119889.tif 000003
【図２】
2015119889.tif 000004
【図３】
2015119889.tif 000005